(57)【要約】【課題】キーワードや登録時に指定された属性による検索で絞り込まれた電子文書群から、さらに所望する文書を選び出す支援をするために、各電子文書の特徴を数値化し、特徴量としてユーザーに提示することを目的とする。【解決手段】電子文書を属性情報とともに登録する登録手段と、前記登録手段にて登録された電子文書をデータベース上に保管管理する文書保管手段とを有する文書管理装置であって、前記登録手段にて登録された電子文書において、前記各電子文書の特徴を特徴量として数値化する計算手段と、前記文書保管手段にて保管された電子文書からキーワードに基づいて一部の電子文書を選び出す検索手段と、前記検索手段にて選び出された電子文書について、文書の情報や特徴量等を一覧表示する表示手段とを備える。【選択図】図２
2009199164.tif 000002
【特許請求の範囲】
【請求項１】
電子文書を属性情報とともに登録する登録手段と、
前記登録手段にて登録された電子文書を、データベース上に保管管理する文書保管手段とを有する文書管理装置であって、
前記登録手段にて登録された電子文書において、前記各電子文書の特徴を特徴量として数値化する計算手段と、
前記文書保管手段にて保管された電子文書からキーワードに基づいて一部の電子文書を選び出す検索手段と、
前記検索手段にて選び出された電子文書について、文書の情報や特徴量等を一覧表示する表示手段とを備える文書管理装置。
【請求項２】
前記登録手段は、属性情報とともに一意に識別するための識別子を決定し、登録することを特徴とする請求項１に記載の文書管理装置。
【請求項３】
前記計算手段は、データベース上に格納された定義式から特徴量を計算することを特徴とする請求項１又は２に記載の文書管理装置。
【請求項４】
前記計算手段は、複数の特徴量を組み合わせ、複合的な判断基準を有する特徴量を計算することを特徴とする請求項１から３のいずれか１項に記載の文書管理装置。
【請求項５】
前記表示手段は、指定された特徴量にしたがって電子文書の表示順を並べ替えて表示することを特徴とする請求項１から４のいずれか１項に記載の文書管理装置。
【請求項６】
前記表示手段は、一覧表示した電子文書のうち、指定された電子文書の内容を表示することを特徴とする請求項１から５のいずれか1項に記載の文書管理装置。
【請求項７】
電子文書を属性情報とともに登録する登録ステップと、
前記登録ステップにて登録された電子文書をデータベース上に保管管理する文書保管ステップとを有する文書管理方法であって、
前記登録ステップにて登録された電子文書において、前記各電子文書の特徴を特徴量として数値化する計算ステップと、
前記文書保管ステップにて保管された電子文書からキーワードに基づいて一部の電子文書を選び出す検索ステップと、
前記検索ステップにて選び出された電子文書について、文書の情報や特徴量等を一覧表示する表示ステップとを備える文書管理方法。
【請求項８】
前記登録ステップは、属性情報とともに一意に識別するための識別子を決定し、登録することを特徴とする請求項７に記載の文書管理方法。
【請求項９】
前記計算ステップは、データベース上に格納された定義式から特徴量を計算することを特徴とする請求項７又は８に記載の文書管理方法。
【請求項１０】
前記計算ステップは、複数の特徴量を組み合わせ、複合的な判断基準を有する特徴量を計算することを特徴とする請求項７から９のいずれか１項に記載の文書管理方法。
【請求項１１】
前記表示ステップは、指定された特徴量にしたがって電子文書の表示順を並べ替えて表示することを特徴とする請求項７から１０のいずれか１項に記載の文書管理方法。
【請求項１２】
前記表示ステップは、一覧表示した電子文書のうち、指定された電子文書の内容を表示することを特徴とする請求項７から１１のいずれか1項に記載の文書管理方法。
【請求項１３】
請求項７から１２のいずれか1項に記載の文書管理方法を機能させるプログラムを記録したコンピュータ読み取り可能な記録媒体。
【発明の詳細な説明】
【技術分野】
【０００１】
本発明は、コンピュータにより管理された複数の電子文書から、所望する電子文書を、より的確に検索することを可能とする文書管理装置、文書管理方法及び記録媒体に関する。
【背景技術】
【０００２】
一般に文書管理システムには、登録済の膨大な電子文書群からユーザーが所望する電子文書を選び出すために検索機能を備えている。例えば、指定されたキーワードを含む検索、さらにはそのキーワードとの関連性の強さや文書間の内容の類似度などを表示する機能などがあり、ユーザーは数ある電子文書の中から所望する文書を絞り込むことが可能となる。これら従来技術の多くは、情報の内容に焦点があてられており、自分の関心あるトピック(キーワード)を基に所望する電子文書が選び出されていた。しかしながら、膨大な電子文書群から多数の文書が選び出されてしまった場合には、文書を全て読むには多大な時間が必要とされる。
【０００３】
そこで、特許文献１では文書郡中の各文書が指定された検索条件を満たす適合度を適合度スコアという数値として求め、さらに登録した文書の属性によって計算される属性スコアとし、それら合計値を合成スコアとして算出し、ユーザーが求める文書をスコアの大きなものから所定個数の検索結果を一覧表示させている。
【特許文献１】特開２００６−３１２０９号公報
【発明の開示】
【発明が解決しようとする課題】
【０００４】
しかし、この情報の内容に関する観点だけでは、その閲覧環境によって一覧の中から実際に閲覧可能かどうかを選び分けるということができない。例えば、同一のユーザーが同じキーワードで内容を検索し、検索された結果の一覧を基に電子文書の内容を閲覧する場合であっても、一般的なＰＣを使ってグラフィック端末で閲覧する場合には、図表が盛り込まれた電子文書でも閲覧することは容易であるが、携帯端末で閲覧する場合には、図表が盛り込まれていると、正しく表示されなかったり、表示するまでに長時間を要したりする。そのような場合には、内容の適合度の高い文書よりも、テキストのみで説明された簡潔な文書を要求されることが考えられる。すなわち、各文章の長さや図表を含むか含まないかが分かれば、ユーザーはその情報から、閲覧対象をさらに絞り込むことが可能となる。
【０００５】
本発明は、前記問題に鑑みてなされたもので、キーワードや登録時に指定された属性による検索で絞り込まれた電子文書群から、さらに所望する文書を選び出す支援をするために、各電子文書の特徴を数値化し、特徴量としてユーザーに提示する文書管理装置、文書管理方法及び記録媒体を提供することを目的とする。
【課題を解決するための手段】
【０００６】
上記課題を解決するため、本発明の文書管理装置においては、電子文書を属性情報とともに登録する登録手段と、登録手段にて登録された電子文書をデータベース上に保管管理する文書保管手段とを有する文書管理装置であって、登録手段にて登録された電子文書において、各電子文書の特徴を特徴量として数値化する計算手段と、文書保管手段にて保管された電子文書からキーワードに基づいて一部の電子文書を選び出す検索手段と、検索手段にて選び出された電子文書について、文書の情報や特徴量等を一覧表示する表示手段とを備えることを特徴とする。
【０００７】
登録手段は、属性情報とともに一意に識別するための識別子を決定し、登録することを特徴とする。
【０００８】
計算手段は、データベース上に格納された定義式から特徴量を計算することを特徴とする。
【０００９】
計算手段は、複数の特徴量を組み合わせ、複合的な判断基準を有する特徴量を計算することを特徴とする。
【００１０】
表示手段は、指定された特徴量にしたがって電子文書の表示順を並べ替えて表示することを特徴とする。
【００１１】
表示手段は、一覧表示した電子文書のうち、指定された電子文書の内容を表示することを特徴とする。
【００１２】
また、本発明の文書管理方法においては、電子文書を属性情報とともに登録する登録ステップと、登録ステップにて登録された電子文書をデータベース上に保管管理する文書保管ステップとを有する文書管理方法であって、登録ステップにて登録された電子文書において、各電子文書の特徴を特徴量として数値化する計算ステップと、文書保管ステップにて保管された電子文書からキーワードに基づいて一部の電子文書を選び出す検索ステップと、検索ステップにて選び出された電子文書について、文書の情報や特徴量等を一覧表示する表示ステップとを備えることを特徴とする。
【００１３】
登録ステップは、属性情報とともに一意に識別するための識別子を決定し、登録することを特徴とする。
【００１４】
計算ステップは、データベース上に格納された定義式から特徴量を計算することを特徴とする。
【００１５】
計算ステップは、複数の特徴量を組み合わせ、複合的な判断基準を有する特徴量を計算することを特徴とする。
【００１６】
表示ステップは、指定された特徴量にしたがって電子文書の表示順を並べ替えて表示することを特徴とする。
【００１７】
表示ステップは、一覧表示した電子文書のうち、指定された電子文書について電子文書の内容を表示することを特徴とする。
【００１８】
また、本発明のコンピュータ読み取り可能な記録媒体においては、上記いずれかに記載の文書管理方法を機能させるプログラムを記録することを特徴とする。
【発明の効果】
【００１９】
本発明により、キーワードや登録時に指定された属性による検索で絞り込まれた電子文書から、さらに各電子文書を特徴付ける特徴量をユーザーに提示することが可能となり、文書の検索を支援することができる。
【発明を実施するための最良の形態】
【００２０】
図１は、一般的に用いられている計算機装置の全体構成を示す図であり、中央処理装置（ＣＰＵ）１１と、メモリ１２と、入力装置（キーボード）１３と、画像表示装置（モニタ）１４と、マウス１５と、補助記憶装置１６とを相互に接続するバスライン１８とで構成されている。ＣＰＵ１１は、メモリ１２内に記憶されたプログラムやデータ等の演算や処理を行い、モニタ１４の画面上に指示の内容やフロッピー（登録商標）ディスクやハードディスク等の記憶媒体を収容する補助記憶装置１６内に記憶された映像等が表示される。また、一般にマウスカーソルと呼ばれる目印の移動に基づくデータを入力するためのポインティングデバイスであるマウス１５やキーボード１３のようなインターフェースを用いて電子文書の検索などの操作が行える。さらに、周辺機器として、プリンタ１７を接続することで、検索された電子文書の一覧や各電子文書の内容などを印刷することが可能となる。
【００２１】
以下では、上記のような計算機装置を用いた本発明の好適な実施形態について詳細に説明する。
【００２２】
（実施の形態１）
図２は、本発明の実施形態におけるシステム構成を示す図である。まず、電子文書が登録される際、電子文書登録部２１によって、電子文書は文書管理データベース２２に格納される。このとき、一般的には電子文書そのものだけでなく、文書のタイトルなどの属性も登録される。また、同時にデータベース上で電子文書を一意に識別するための識別子が決定される。次に、先ほどデータベース上に格納された電子文書は、特徴量計算部２３によって特徴量が計算される（本実施形態についてはページ数とする）。その際、電子文書の形式によっては、改めて計算をしなくてもページ数がデータとして電子文書の形式に格納されているため、その場合にはその値を抽出するだけで良い。計算あるいは抽出された特徴量は、該文書の識別子と対応づけられてデータベースに格納される。
【００２３】
続いて、登録された電子文書から所望の電子文書を検索システムによって探し出す方法について説明する。先ず、ユーザーは情報入出力部２４に検索したいキーワードや属性を指定する。そこで指定された条件に基づいて、検索実行部２５は検索を実行し、該当する文書群の識別子が得られる。その後、検索結果整形部２６では、検索で得られた識別子をもとに、タイトルなどの属性の値や電子文書を閲覧するためのリンクをデータベースから得て、一覧表として整形した上で、情報入出力部２４を通じて利用者に表示される。このとき、特徴量としてのページ数も表示される。また、利用者が指定することにより、ページ数の昇順もしくは降順でソートを行い、一覧表示をすることもできる。
【００２４】
（実施の形態２）
次に、ＨＴＭＬに代表されるマークアップ言語の場合、章や節の指定がファイル形式として記述されており、それらの数を取得できる。そこで、例えば文書構成の複雑さを「章の数＋節の数×０．１」と定義して、この値を特徴量とする。ただし、この実施例の場合は、ページ数と異なり、定義が一般的な概念ではないため、この値のままでは判断基準として利用者には分かり辛く、相対的な値に変換する必要がある。そのため、登録済の電子文書群の中で最も値の大きいものを１００に変換し、相対的にみた特徴量の大きさを判断する。
【００２５】
図３は、特徴量計算部における相対値を求める際のフローチャート図である。まず、新たに登録される電子文書の特徴量が、すでに登録済の文書より大きいか否かの判断が行われる（ステップＳ３１）。小さい場合には、そのまま終了となる（ステップＳ３６）。一方、大きい場合には、新規文書の値が最大値として保存され（ステップＳ３２）、新規文書の特徴量の相対値を１００とする（ステップＳ３３）。次に、登録済の全ての電子文書について、算出した相対値に基づいて特徴量の相対値が更新されたか確認し（ステップＳ３４）、１つでも更新されていない電子文書があれば更新される（ステップＳ３５）。以降、全てのデータが更新されるまで繰り返し、全データが更新されれば終了となる（ステップＳ３６）。このように新規に文書が登録される度に、相対値を再計算し、最大値を文書管理データベース２２内に格納するため、前記定義式で得られる相対値換算していない値も文書管理データベース２２に格納しておく必要がある。
【００２６】
（実施の形態３）
別の特徴量としては、図表の有無が挙げられる。この場合には、図表を含むか否かの０または１の値だけを特徴量とする、あるいはデータ量によって相対値で考える必要がある。
【００２７】
（実施の形態４）
他の実施例としては、ＨＴＭＬ形式の電子文書を対象として、画像イメージにおけるａｌｔ属性の指定状況が挙げられる。すなわち、ｉｍｇタグのａｌｔ属性について値が指定されているか否かを特徴量とする。これにより、音声による読み上げソフト利用者は、テキスト以外の情報も得られる文書であるか否かを判断することが可能になる。
【００２８】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更を加えることができることは明らかである。
【図面の簡単な説明】
【００２９】
【図１】計算機装置の全体構成を示す図である。
【図２】本発明の実施形態に係るシステム構成を示す図である。
【図３】本発明の実施形態に係る特徴量の計算のフローを示す図である。
【符号の説明】
【００３０】
１１    ＣＰＵ
１２    メモリ
１３    キーボード
１４    モニタ
１５    マウス
１６    補助記憶装置
１７    プリンタ
１８    バス
２１    電子文書登録部
２２    文書管理データベース
２３    特徴量計算部
２４    情報入出力部
２５    検索実行部
２６    検索結果整形部
【図１】
2009199164.tif 000003
【図２】
2009199164.tif 000004
【図３】
2009199164.tif 000005